(57)【要約】【課題】  ユーザにとって不要な警告をする可能性を低減するようにする。【解決手段】  撮像装置は、撮像部１０２と、ユーザ操作を受け付ける操作部１０５と、音を出力するスピーカー１１６と、制御部１０１とを有する。撮像装置が待機状態において、第１の警告を報知する条件が満たされる場合、制御部１０１はスピーカー１１６によって第１の警告に関する音を出力する。スピーカー１１６によって第１の警告に関する音を出力中に、操作部１０５によって指示を受け付けた場合、制御部１０１は第１の警告に関する音の出力を停止する。【選択図】  図２
2020086306.tif 000002
【特許請求の範囲】
【請求項１】
撮像手段と、
ユーザ操作に基づいて前記撮像手段による撮像の準備動作を実行させるための準備指示および前記撮像手段による撮像動作を実行させるための撮像指示を受け付ける操作手段と、
音を出力する出力手段と、
制御手段と、を有する撮像装置であって、
前記撮像装置が待機状態において、第１の警告を報知する条件が満たされた場合、前記制御手段は前記出力手段によって前記第１の警告に関する音を出力し、
前記出力手段によって前記第１の警告に関する音を出力中に、前記操作手段によって前記準備指示を受け付けた場合、前記制御手段は前記第１の警告に関する音の出力を停止する
ことを特徴とする撮像装置。
【請求項２】
複数の前記第１の警告を報知する条件が満たされた場合、前記制御手段は、重要性の高い順番に前記第１の警告を報知する
ことを特徴とする請求項１に記載の撮像装置。
【請求項３】
前記撮像装置が前記準備動作を実行している状態において、第２の警告を報知する条件が満たされた場合、前記制御手段は前記出力手段によって前記第２の警告に関する音を出力することを特徴とする請求項１または２に記載の撮像装置。
【請求項４】
前記制御手段は、複数の前記第２の警告を報知する条件が満たされた場合、重要性の高い順番に前記第２の警告を報知する
ことを特徴とする請求項３に記載の撮像装置。
【請求項５】
前記制御手段が前記出力手段によって第１の警告に関する音を出力中に、前記操作手段によって前記準備指示を受け付けた場合、前記制御手段は前記第１の警告を報知する条件と前記第２の警告を報知する条件を比較し、
前記制御手段が比較した結果、前記第１の警告を報知する条件が前記第２の警告を報知する条件と同じ種類であると判定した場合、前記制御手段は前記第２の警告を報知する条件が満たされても前記第２の警告に関する音を出力しない
ことを特徴とする請求項３または４に記載の撮像装置。
【請求項６】
前記制御手段が比較した結果、前記第１の警告を報知する条件が前記第２の警告を報知する条件より重要性が高いと判定した場合、前記制御手段は前記第２の警告を報知する条件が満たされても前記第２の警告に関する音を出力しない
ことを特徴とする請求項５に記載の撮像装置。
【請求項７】
前記制御手段が比較した結果、前記第１の警告が前記第２の警告と異なる種類、またはより重要性が低いと判定した場合、前記制御手段は前記第２の警告を報知する条件が満たされたことに応じて前記第２の警告に関する音を出力する
ことを特徴とする請求項５または６に記載の撮像装置。
【請求項８】
前記第２の警告に関する音を出力している状態において、前記撮像装置が前記準備動作を実行している状態から待機状態に遷移した場合、または前記操作手段によって前記撮像指示を受け付けた場合、前記制御手段は前記第２の警告に関する音の出力を停止する
ことを特徴とする請求項３から７のいずれか１項に記載の撮像装置。
【請求項９】
前記第２の警告に関する音を出力している状態において、前記第２の警告を報知する条件が満たされないと判定した場合、前記制御手段は前記第２の警告に関する音の出力を停止する
ことを特徴とする請求項３から８のいずれか１項に記載の撮像装置。
【請求項１０】
前記第２の警告は撮像に関する警告であることを特徴とする請求項３から９のいずれか１項に記載の撮像装置。
【請求項１１】
前記操作手段によって指示を受け付けたことに応じて警告に関する音の出力を停止した場合、前記制御手段は、報知待ちの状態である他の警告に関する音を出力しない
ことを特徴とする請求項１から１０のいずれか１項に記載の撮像装置。
【請求項１２】
前記第１の警告に関する音を出力している状態において、前記第１の警告を報知する条件が満たされないと判定した場合、前記制御手段は前記第１の警告に関する音の出力を停止する
ことを特徴とする請求項１から１１のいずれか１項に記載の撮像装置。
【請求項１３】
前記待機状態は前記操作手段によって操作されていない状態であることを特徴とする請求項１から１２のいずれか１項に記載の撮像装置。
【請求項１４】
前記第１の警告は、カメラの動作状態に関する警告および撮像に関する警告であることを特徴とする請求項１から１３のいずれか１項に記載の撮像装置。
【請求項１５】
前記出力手段によって出力される警告に関する音は音声であることを特徴とする請求項１から１４のいずれか１項に記載の撮像装置。
【請求項１６】
前記操作手段はレリーズスイッチであり、
前記レリーズスイッチを半押しされた場合、前記操作手段は前記撮像手段による撮像の準備動作を実行させるための準備指示を受け付け、
前記レリーズスイッチを全押しされた場合、前記操作手段は前記撮像手段による撮像動作を実行させるための撮像指示を受け付ける
ことを特徴とする請求項１から１５のいずれか１項に記載の撮像装置。
【請求項１７】
さらに表示部を有し、
前記操作手段は前記表示部に形成されたタッチパネルであり、
前記表示部に映る被写体に前記タッチパネルを介してタッチされた場合、前記制御手段は前記撮像手段による撮像の準備動作を実行させるための準備指示を受け付け、
前記表示部に映る被写体を撮像するためのアイテムを前記タッチパネルを介してタッチされた場合、前記制御手段は前記撮像手段による撮像動作を実行させるための撮像指示を受け付ける
ことを特徴とする請求項１から１５のいずれか１項に記載の撮像装置。
【請求項１８】
撮像手段と、
ユーザ操作に基づいて前記撮像手段による撮像の準備動作を実行させるための準備指示または前記撮像手段による撮像動作を実行させるための撮像指示を受け付ける操作手段と、
音を出力する出力手段と、
制御手段と、を有する撮像装置であって、
前記撮像装置が待機状態において、第１の警告を報知する条件が満たされた場合、前記制御手段は前記出力手段によって前記第１の警告に関する音を出力し、
前記撮像装置が前記準備動作を実行している状態において、第２の警告を報知する条件が満たされた場合、前記制御手段は前記出力手段によって前記第２の警告に関する音を出力し、
前記制御手段が前記出力手段によって第１の警告に関する音を出力中に、前記操作手段によって前記準備指示を受け付けた場合、前記制御手段は前記第１の警告を報知する条件と前記第２の警告を報知する条件を比較し、
前記制御手段が比較した結果、前記第１の警告を報知する条件が前記第２の警告を報知する条件と同じ種類であると判定した場合、前記制御手段は前記第２の警告を報知する条件が満たされても前記第２の警告に関する音を出力しない
ことを特徴とする撮像装置。
【請求項１９】
前記制御手段が比較した結果、前記第１の警告を報知する条件が前記第２の警告を報知する条件より重要性が高いと判定した場合、前記制御手段は前記第２の警告を報知する条件が満たされても前記第２の警告に関する音を出力しない
ことを特徴とする請求項１８に記載の撮像装置。
【請求項２０】
前記制御手段が前記出力手段によって第１の警告に関する音を出力中に、前記操作手段によって指示を受け付けた場合、前記制御手段は前記第１の警告に関する音の出力を停止する
ことを特徴とする請求項１８または１９に記載の撮像装置。
【請求項２１】
前記制御手段が比較した結果、前記第１の警告を報知する条件が前記第２の警告を報知する条件と異なる種類、またはより重要性が低いと判定した場合、前記制御手段は前記第２の警告を報知する条件が満たされたことに応じて前記第２の警告に関する音を出力する
ことを特徴とする請求項１８から２０のいずれか１項に記載の撮像装置。
【請求項２２】
前記第２の警告に関する音を出力している状態において、前記撮像装置が前記準備動作を実行している状態から待機状態に遷移した場合、または前記操作手段によって前記撮像指示を受け付けた場合、前記制御手段は前記第２の警告に関する音の出力を停止する
ことを特徴とする請求項１８から２１のいずれか１項に記載の撮像装置。
【請求項２３】
撮像手段と、
ユーザ操作に基づいて前記撮像手段による撮像の準備動作を実行させるための準備指示または前記撮像手段による撮像動作を実行させるための撮像指示を受け付ける操作手段と、
音を出力する出力手段と、
制御手段と、を有する撮像装置の制御方法であって、
前記撮像装置が待機状態において、第１の警告を報知する条件が満たされた場合、前記制御手段は前記出力手段によって前記第１の警告に関する音を出力ステップと、
前記出力手段によって前記第１の警告に関する音を出力中に、前記操作手段によって指示を受け付けた場合、前記制御手段は前記第１の警告に関する音の出力を停止するステップと、
を有することを特徴とする制御方法。
【請求項２４】
コンピュータを請求項１から２２のいずれか１項に記載の撮像装置の各手段として機能させるための、コンピュータが読み取り可能なプログラム。
【発明の詳細な説明】
【技術分野】
【０００１】
本発明は音声出力が可能な撮像装置に関する。
【背景技術】
【０００２】
近年、デジタルカメラは、手ブレや露出の過不足等の原因によって撮影が失敗することを予測し、ユーザに警告することができる。
【０００３】
特許文献１では、手ブレにより写真に像ブレが生じる可能性があることを検知し、警告音を出力するカメラが開示されている。
【先行技術文献】
【特許文献】
【０００４】
【特許文献１】特開平６−８２８７０号公報
【発明の概要】
【発明が解決しようとする課題】
【０００５】
しかし、例えばユーザがカメラの構図を決めている場合と構図を決めて撮影の準備を開始した場合とでカメラがそれぞれ同様の内容で警告する場合、ユーザは最初の警告でその警告の内容を理解しているため、特に２回目の警告は煩わしいと感じる可能性がある。このように、警告をその都度ユーザに報知すると、ユーザにとって不要な警告をする可能性があった。そこで本発明はユーザにとって不要な警告をする可能性を低減することを目的とする。
【課題を解決するための手段】
【０００６】
上記の課題を解決するために本発明の撮像装置は、撮像手段と、ユーザ操作に基づいて前記撮像手段による撮像の準備動作を実行させるための準備指示または前記撮像手段による撮像動作を実行させるための撮像指示を受け付ける操作手段と、音を出力する出力手段と、制御手段と、を有する撮像装置であって、前記撮像装置が待機状態において、第１の警告を報知する条件が満たされた場合、前記制御手段は前記出力手段によって前記第１の警告に関する音を出力し、前記出力手段によって前記第１の警告に関する音を出力中に、前記操作手段によって指示を受け付けた場合、前記制御手段は前記第１の警告に関する音の出力を停止することを特徴とする。
【発明の効果】
【０００７】
本発明によれば、ユーザにとって不要な警告をする可能性を低減することができる。
【図面の簡単な説明】
【０００８】
【図１】（ａ）第一の実施形態におけるデジタルカメラの構成の一例を示すブロック図である。（ｂ）第一の実施形態におけるデジタルカメラの正面から見た外観の一例を示す図である。（ｃ）第一の実施形態におけるデジタルカメラの背面から見た外観の一例を示す図である。
【図２】第一の実施形態におけるデジタルカメラの動作の一例を示すフローチャートである。
【図３】（ａ）第１の警告の内容および第１の警告を報知する条件の一例を示す図である。（ｂ）第２の警告の内容および第２の警告を報知する条件の一例を示す図である。
【図４】デジタルカメラの状態の一例を示す図である。
【図５】（ａ）デジタルカメラ１００が状態０である場合における警告の報知例について説明する図である。（ｂ）デジタルカメラ１００が状態１である場合における警告の報知例について説明する図である。（ｃ）デジタルカメラ１００が状態２である場合における警告の報知例について説明する図である。（ｄ）デジタルカメラ１００が状態３である場合における警告の報知例について説明する図である。
【図６】（ａ）レリーズスイッチの半押し状態が解除され、非押下状態に遷移した場合における警告の報知例について説明する図である。（ｂ）レリーズスイッチが半押し状態から全押し状態に遷移した場合における警告の報知例について説明する図である。（ｃ）レリーズスイッチが一瞬半押しされた場合における警告の報知例について説明する図である。（ｄ）レリーズスイッチが一気押しされた場合における警告の報知例について説明する図である。
【図７】第一の実施形態におけるスマートフォンの動作の一例を示す図である。
【発明を実施するための形態】
【０００９】
以下、本発明の実施形態について図面を参照しながら説明する。
【００１０】
＜第一の実施形態＞
図１は本実施形態の撮像装置の一例であるデジタルカメラ１００の構成例を示すブロック図である。なお、ここでは撮像装置の一例としてデジタルカメラについて述べるが、撮像装置はこれに限られない。例えば撮像装置はスマートフォンや、タブレット端末等の撮像素子を有する装置であればよい。
【００１１】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１２】
撮像部１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子は、一般的に、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が用いられる。撮像部１０２は、制御部１０１に制御されることにより、撮像部１０２に含まれるレンズで結像された被写体光を、撮像素子により電気信号に変換し、ノイズ低減処理などを行いデジタルデータを画像データとして出力する。本実施形態では、当該画像データを撮像し出力するための一連の処理を「撮影」という。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、後述する記録媒体１１０に記録される。
【００１３】
不揮発性メモリ１０３は、電気的に消去・記録可能な不揮発性のメモリであり、制御部１０１で実行される後述のプログラム等が格納される。
【００１４】
作業用メモリ１０４は、撮像部１０２で撮像された画像データを一時的に保持するバッファメモリや、表示部１０６の画像表示用メモリ、制御部１０１の作業領域等として使用される。
【００１５】
操作部１０５は、デジタルカメラ１００に対する指示をユーザから受け付けるためのユーザインタフェースである。操作部１０５は、例えばユーザがデジタルカメラ１００の電源のオン／オフを指示するための電源ボタンや、撮影を指示するためのレリーズスイッチ、画像データの再生を指示するための再生ボタン等を含むことができる。また、表示部１０６に形成されるタッチパネルも操作部１０５に含めることができる。なお、レリーズスイッチは、ＳＷ１およびＳＷ２を有する。レリーズスイッチが、いわゆる半押し状態となることにより、ＳＷ１がオンとなる。これにより、ＡＦ（オートフォーカス）処理、ＡＥ（自動露出）処理、ＡＷＢ（オートホワイトバランス）処理、ＥＦ（フラッシュプリ発光）処理等の撮像の準備動作を行うための準備指示を受け付ける。また、レリーズスイッチが、いわゆる全押し状態となることにより、ＳＷ２がオンとなる。このようなユーザ操作により、撮像動作を行うための撮像指示を受け付ける。さらに操作部１０５はモード切替スイッチを有し、制御部１０１の動作モードを静止画撮影モード、動画撮影モード、再生モード等のいずれかに切り替える。静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモードがある。また、撮影シーン別の撮影設定となる各種シーンモード、カスタムモード等がある。モード切替スイッチより、ユーザは、これらのモードのいずれかに直接切り替えることができる。あるいは、モード切替スイッチで撮影モードの一覧画面に一旦切り換えた後に、表示された複数のモードのいずれかを選択し、他の操作部材を用いて切り替えるようにしてもよい。
【００１６】
表示部１０６は、撮影の際のビューファインダー画像の表示、撮影した画像データの表示、対話的な操作のための文字表示などを行う。表示部１０６は必ずしもデジタルカメラ１００に内蔵されていなくてもよく、デジタルカメラ１００に外部接続される構成であってもよい。デジタルカメラ１００は内部または外部の表示部１０６と接続することができ、表示部１０６の表示を制御する表示制御機能を少なくとも有していればよい。
【００１７】
記録媒体１１０は、デジタルカメラ１００に着脱可能なよう構成してもよいし、デジタルカメラ１００に内蔵されていてもよい。デジタルカメラ１００は少なくとも記録媒体１１０にアクセスする手段を有していればよい。
【００１８】
通信部１１１は、外部装置と接続するためのインターフェースである。本実施形態のデジタルカメラ１００は、通信部１１１を介して、外部装置とデータのやりとりを行うことができる。例えば、撮像部１０２で生成した画像データを、通信部１１１を介して外部装置に送信することができる。なお、本実施形態では、通信部１１１は外部装置とＩＥＥＥ８０２．１１の規格に従って、いわゆる無線ＬＡＮで通信するためのインターフェースを含む。制御部１０１は、通信部１１１を制御することで外部装置との無線通信を実現する。なお、通信方式は無線ＬＡＮに限定されるものではなく、例えば赤外通信方式も含む。
【００１９】
電源部１１２は制御部１０１に制御されることでデジタルカメラ１００の各要素に電力を供給することができる。電源部１１２は例えば、リチウムイオン電池やバッテリ等である。
【００２０】
マイク１１５はユーザの音声や周囲の音等を集音する。制御部１０１はマイク１１５によって集音した音を解析することでその集音した音に応じた処理を実行することができる。これを本実施形態では音声アシスタント機能という。一般的に音声アシスタント機能を有する機器は、集音した音に含まれる所定の単語（いわゆるウェイクワード）を認識してから、そのウェイクワードに続く音を解析する。本実施形態においてデジタルカメラ１００は、通信部１１１を介して接続したサーバへ集音した音を送信し、サーバを利用して音の内容を解析する。本実施形態のデジタルカメラ１００は、ウェイクワードを機器内で認識し、そのウェイクワードに続く音をサーバを利用して内容を解析する。
【００２１】
スピーカー１１６は、楽曲や警告音等の音を出力することができる。本実施形態において、制御部１０１はスピーカー１１６によって警告音等を出力する。ユーザはスピーカー１１６から出力された音を聞くことで、デジタルカメラ１００の警告等に気付くことができる。
【００２２】
図１（ｂ）はデジタルカメラ１００の正面から見た外観の一例を示す図である。図１（ｃ）はデジタルカメラ１００を背面から見た外観の一例を示す図である。レリーズスイッチ１０５ａ、再生ボタン１０５ｂ、および方向キー１０５ｃは、操作部１０５に含まれる操作部材である。特にレリーズスイッチ１０５ａはユーザが右手で操作しやすい位置に配置されているため、ユーザは右手だけで快適に撮影できる。また、表示部１０６には、撮像部１０２によって撮像された画像が表示される。
【００２３】
以下、図２および図３（ａ）、（ｂ）を参照して、第一の実施形態の撮影装置の処理の流れについて説明する。図２は、デジタルカメラ１００の処理の一例を示すフローチャートである。この処理は、不揮発性メモリ１０３に記録されたソフトウェアを作業用メモリ１０４に展開して制御部１０１が実行することで実現する。またこの処理は、ユーザによって電源ボタンがオンされたことをトリガに開始される。なお、本処理の開始時にデジタルカメラ１００は静止画撮影モードであり、レリーズスイッチは押下されていない。この状態を待機状態とする。図３（ａ）はデジタルカメラ１００が待機状態において報知する警告の種類を示す。図３（ｂ）はレリーズスイッチが半押しされている状態においてデジタルカメラ１００が報知する警告の種類を示す。ここで、デジタルカメラ１００が待機状態において報知する警告を第１の警告、レリーズスイッチが半押しされている状態において報知する警告を第２の警告と呼ぶ。第１の警告および第２の警告についての詳細な説明は後述する。
【００２４】
ステップＳ２０１では、制御部１０１は、第１の警告を報知する条件が満たされたか否かを判定する。第１の警告を報知する条件が満たされたと判定した場合、制御部１０１はステップＳ２０２に進み、満たさないと判定した場合はステップＳ２０３に進む。ここで本実施形態では、図３（ａ）に示すように、制御部１０１は本ステップにおいて、手ブレに関する警告がレベル１であると判定した場合について説明する。
【００２５】
ここで第１の警告について説明する。第１の警告は、待機状態におけるカメラの動作状態に関する警告と、撮像に関する警告とがある。カメラの動作状態に関する警告を報知する条件は、例えば電池容量の残量が少ないことや画像データを記録できる容量が少ないこと、撮影モードがモノクロモード等の特定のモードになっていること等である。撮像に関する警告を報知する条件は、例えば手ブレ量が大きいことやカメラの傾き量が大きいこと、露出の過不足量が大きいことである。なお、手ブレ量は角速度センサの出力に基づいて、カメラの傾き量は加速度センサの出力に基づいて、露出の過不足量はシャッター速度・絞り・ＩＳＯ感度に基づいて、それぞれ公知の方法で求めることができる。
【００２６】
また、図３（ａ）に示すように、本実施形態では各第１の警告に警告の種類や警告の度合いを示すレベル等を設定する。本実施形態ではこのレベルをレベル０、レベル１、レベル２の三段階とする。このレベルは数値が大きいほど警告の重要性が高い。また警告の種類は優先度の高い順番に上から並べられている。例えば、同じレベルの警告であれば種類Ａの警告は種類Ｂの警告よりも優先度が高い。ここで、それぞれの警告に閾値Ｔ０、閾値Ｔ１の２つの閾値を設定する。例えば種類Ａの電池容量であれば、電池残量Ｘ＞閾値Ｔ０（電池残量３０％）ならばレベル０、閾値Ｔ０＞電池残量Ｘ＞閾値Ｔ１（電池残量１０％）ならばレベル１、閾値Ｔ１＞電池残量Ｘならばレベル２とする。なお、本実施形態では制御部１０１は、レベル０は警告を報知する条件が満たされない、レベル１およびレベル２は警告を報知する条件が満たされると判定する。さらに警告の度合いを示すレベルは、警告の種類よりも優先される。例えばレベル１の種類Ａの警告よりもレベル２の種類Ｂの警告が優先して報知される。以上、第１の警告について説明した。これより図２の説明に戻る。
【００２７】
ステップＳ２０２では、制御部１０１は音を出力することで警告をユーザに報知することを開始する。制御部１０１は例えば、警告として「手ブレが大きいです」という音声をスピーカー１１６によって出力することを開始する。ここで、デジタルカメラ１００はメッセージを読み上げて警告を報知することで、ユーザは警告の内容を理解しやすくなる。なお、複数の第１の警告を報知する必要がある場合、制御部１０１は前述したように、優先度およびレベルに基づいて順番に報知する。この警告は第１の警告に相当する。
【００２８】
ステップＳ２０３では、制御部１０１はレリーズスイッチが半押しされたか否かを判定する。半押しされたと判定した場合、制御部１０１はステップＳ２０４に進む。半押しされていないと判定した場合、制御部１０１はステップＳ２１２に進む。
【００２９】
ステップＳ２０４では、制御部１０１はステップＳ２０２において出力を開始した音を出力している途中か否か判定する。その音を出力していないと判定した場合、制御部１０１はステップＳ２０６に進む。その音を出力していると判定した場合、制御部１０１はステップＳ２０５に進む。なお、ステップＳ２０２の処理を実行していない場合、制御部１０１は音を出力していないと判定する。
【００３０】
ステップＳ２０５では、制御部１０１はステップＳ２０２において出力を開始した音の出力を停止する。制御部１０１はここで停止した第１の警告の種類を不揮発性メモリ１０３に記録する。これにより、ユーザは第１の警告音が不要と感じた場合に、レリーズスイッチを半押しするだけで、第１の警告音を停止することができる。また、他の第１の警告が報知待ちの状態である場合でも、制御部１０１はその警告を報知しない。さらに、このレリーズスイッチはユーザが撮影をするために押下するボタンであるため、ユーザは警告音を停止するとともに撮影を開始できる。また、前述のように、レリーズスイッチは右手で押しやすい位置にあるため、撮影中においてもユーザは警告音を消しやすい。なお、制御部１０１は警告音を停止する場合、表示部１０６に、警告を表示してもよい。これにより、ユーザは警告の内容を聞かずに停止してしまった場合でも、表示部１０６を見ることでその内容を理解できる。
【００３１】
ステップＳ２０６では、制御部１０１は第２の警告を報知する条件が満たされるか否かを判定する。第２の警告を報知する条件が満たされる場合、制御部１０１はステップＳ２０６に進む。第２の警告を報知する条件が満たされない場合、制御部１０１はステップＳ２１２に進む。ここで本実施形態では、図３（ｂ）に示すように、制御部１０１は本ステップにおいて、手ブレに関する警告がレベル２であると判定した場合について説明する。
【００３２】
ここで第２の警告について説明する。レリーズスイッチが半押しされた場合、制御部１０１は撮像の準備動作を開始する。そのため、本実施形態では、第２の警告は、待機状態のカメラの動作状態に関する警告は含めず、撮像に関する警告のみである。これはレリーズスイッチが半押しされた場合、ユーザには撮像する意図があると考えられるため、カメラの動作状態についての警告は不要であると考えられるからである。撮像に関する警告を報知する条件は、第１の警告を報知する条件において説明した条件と同様である。ただし、レリーズスイッチを半押しすることでデジタルカメラ１００に物理的な力が加えられるため、特に手ブレ量やカメラの傾き量はさらに大きく変化することがある。また、日が差す、および日が陰る等の要因によって、露出の過不足量が大きく変化することがある。そのため、レリーズスイッチが半押しされている状態では、制御部１０１は撮像に関する警告を報知する条件について判定する。
【００３３】
また、図３（ｂ）に示すように、本実施形態では第１の警告と同様に、各第２警告でも警告の種類や警告の度合いを示すレベル等を設定する。優先度についても図３（ａ）において説明した第１の警告の優先度と同様に制御部１０１は処理する。ただし、第１の警告と第２の警告の種類が異なる場合、その種類の優先度に関わらず制御部１０１は第２の警告を報知する。これは図４において後述する状態１に相当する。以上、第２の警告について説明した。これより図２の説明に戻る。
【００３４】
ステップＳ２０７では、制御部１０１はステップＳ２０１で報知すると判定した第１の警告と、ステップＳ２０５で報知すると判定した第２の警告とを比較する。ここで例えば制御部１０１は警告の種類および警告のレベルを比較する。なお、ステップＳ２０５において報知待ちの状態であった第１の警告も本ステップにおいて比較対象である。
【００３５】
ここで、図４を用いて第１の警告と第２の警告との関係を説明する。
【００３６】
ステップＳ２０８では、制御部１０１はステップＳ２０６において比較した結果に基づいて、第２の警告を報知するか否かを判定する。第２の警告を報知すると判定した場合、制御部１０１はステップＳ２０８に進む。第２の警告を報知しないと判定した場合、制御部１０１はステップＳ２１２に進む。
【００３７】
ここで図４を用いて第２の警告を報知するか否かを判定する方法の一例について説明する。ここでは状態０〜状態３の４つに分類する。
【００３８】
状態０は第１の警告を報知していない状態である。これはステップＳ２０１において制御部１０１が第１の警告を報知する条件が満たされないと判定した場合またはステップＳ２０４において制御部１０１が第１の警告音を出力していないと判定した場合における状態である。状態０の場合、第１の警告を報知していないことから第２の警告はユーザから見て必要であると考えられるため、制御部１０１は第２の警告を報知すると判定する。
【００３９】
状態１は第１の警告と第２の警告の種類が異なる状態である。状態１の場合、第２の警告は第１の警告とは種類が異なることから、警告のレベルに関わらずユーザから見て必要があると考えられるため、制御部１０１は第２の警告を報知すると判定する。
【００４０】
状態２は第１の警告と第２の警告の種類が同じであり、第１の警告のレベルが第２の警告のレベル以上である状態である。状態２の場合、第２の警告は第１の警告と種類が同じであり、第２の警告のレベルは第１の警告のレベルより低いことから、第２の警告はユーザから見て不要と考えられる。そのため、制御部１０１は第２の警告を報知しないと判定する。
【００４１】
状態３は第１の警告と第２の警告の種類が同じであり、第１の警告のレベルが第２の警告のレベル未満の状態である。状態３の場合、第２の警告は第１の警告と種類が同じであるが、第２の警告のレベルは第１の警告のレベルより大きいことから、ユーザから見て必要であると考えられる。そのため、制御部１０１第２の警告を報知すると判定する。
【００４２】
本実施形態では、図３（ａ）、（ｂ）に示すように、第１の警告は種類Ｄでレベル１、第２の警告は種類Ｄでレベル２である。つまり警告の種類が同じで、第１の警告のレベルが第２の警告のレベル未満なので、デジタルカメラ１００は状態３にある。そのため、制御部１０１は第２の警告を報知すると判定する。
【００４３】
以上のように、制御部１０１は第１の警告と第２の警告とを比較することで、不要な警告を報知しないことができる。このため、ユーザは必要な警告音のみを知ることができる。これより図２の説明に戻る。
【００４４】
ステップＳ２０９では、制御部１０１は音を出力することで警告をユーザに報知することを開始する。例えば制御部１０１は、第２の警告音として「手ブレがさらに大きくなりました」という音声をスピーカー１１６によって出力することを開始する。ここで、デジタルカメラ１００はメッセージを読み上げて警告を報知することで、ユーザは警告の内容を理解しやすくなる。なお、複数の第２の警告を報知する必要がある場合、制御部１０１は前述したように、優先度およびレベルに基づいて順番に報知する。
【００４５】
ステップＳ２０８およびステップＳ２０９の動作について、図５（ａ）〜（ｄ）を用いて説明する。図５（ａ）〜（ｄ）は、レリーズスイッチの半押し操作に基づいて、制御部１０１が第１の警告音と第２の警告音の出力および停止する処理を示している。この第１の警告音と第２の警告音はスピーカー１１６によって出力される。
【００４６】
図５（ａ）〜（ｄ）の各図の上部に示すステップ状の波形はレリーズスイッチの状態を表している。これは時刻ｔ０においてレリーズスイッチの状態がユーザによって非押下状態から半押し状態にされたことを示している。矩形５０１は第１の警告音が出力されている状態、矩形５０２は第２の警告音が出力されている状態を示す。また、矩形５０１および矩形５０２の八分音符は、どちらも警告音が１秒出力されたことを示す。ここで、第１の警告音および第２の警告音をすべて出力したときの再生時間はどちらも５秒とする。
【００４７】
図５（ａ）は、デジタルカメラ１００が状態０である場合における警告の報知例について説明する図である。図４に示すように、状態０において、制御部１０１は第１の警告を報知しないと判定したため、第１の警告音は出力されていない。また状態０において制御部１０１は第２の警告を報知すると判定したため、第２の警告音は出力される。
【００４８】
図５（ｂ）は、デジタルカメラ１００が状態１である場合における警告の報知例について説明する図である。前述のステップＳ２０２の処理が実行されることで、第１の警告音が出力される。第１の警告音の出力中においてレリーズスイッチが半押しされた場合、第１の警告音は停止される。この処理は図２のステップＳ２０４に相当する。図５（ｂ）において、第１の警告音は３秒間出力され、時刻ｔ０において出力を停止される。また状態１において制御部１０１は第２の警告を報知すると判定したため、第２の警告音は出力される。
【００４９】
図５（ｃ）は、デジタルカメラ１００が状態２である場合における警告の報知例について説明する図である。前述のステップＳ２０２の処理が実行されることで、第１の警告音が出力される。第１の警告音の出力中においてレリーズスイッチが半押しされた場合、第１の警告音は停止される。この処理は図２のステップＳ２０４に相当する。図５（ｂ）において、第１の警告音は３秒間出力され、時刻ｔ０において出力を停止される。また状態２において制御部１０１は第２の警告を報知しないと判定したため、第２の警告音は出力されない。
【００５０】
図５（ｄ）は、デジタルカメラ１００が状態３である場合における警告の報知例について説明する図である。状態３における動作は、図５（ｂ）で示した状態１における動作と同じとなるため、説明を省略する。
【００５１】
このように、同じレリーズスイッチを半押しする動作であっても、制御部１０１はその警告の種類およびレベルによって次の警告を報知するか否かを判定することで、ユーザは必要な警告を受け取ることができる。これより図２の説明に戻る。
【００５２】
ステップＳ２１０では、制御部１０１はレリーズスイッチが半押しされているか否かを判定する。レリーズスイッチが半押しされていない場合、制御部１０１はステップＳ２１１に進む。レリーズスイッチが半押しされている場合、制御部１０１はステップＳ２０６に戻る。レリーズスイッチが半押しされていない状態は、例えばレリーズスイッチの半押しが解除された状態またはレリーズスイッチが全押しされた状態である。
【００５３】
ステップＳ２１１では、制御部１０１は第２の警告音を出力しているか否かを判定する。第２の警告音を出力していない場合、制御部１０１はステップＳ２１３に進む。第２の警告音を出力している場合、制御部１０１はステップＳ２１２に進む。
【００５４】
ステップＳ２１２では、制御部１０１はステップＳ２０８で出力された第２の警告音を停止する。また、他の第２の警告が報知待ちの状態である場合でも、制御部１０１はその警告を報知しない。なお、制御部１０１は表示部１０６に第２の警告を視覚的に表示してもよい。これによって、ユーザは第２の警告音を消しても、どのような第２の警告が報知されたのかを後で確認することができる。
【００５５】
ここで図６（ａ）〜（ｄ）を用いて第２の警告音を出力する処理の一例について説明する。図６（ａ）〜（ｄ）は、図５（ａ）〜（ｄ）に加えて、レリーズスイッチが全押しされている状態も示している。説明のため、図６（ａ）、（ｂ）において、デジタルカメラ１００は状態２または状態４であるとする。矩形６０１は第１の警告音が出力されている状態、矩形６０２は第２の警告音が出力されている状態を示す。また、矩形６０１および矩形６０２の八分音符は、どちらも警告音が１秒出力されたことを示す。ここで、第１の警告音および第２の警告音をすべて出力したときの再生時間はどちらも５秒とする。
【００５６】
まず、時刻ｔ０より前の待機状態において第１の警告音が出力される。続いて、時刻ｔ０においてレリーズスイッチが半押しされたことにより、第１の警告音の出力が停止し、第２の警告音が出力される。
【００５７】
図６（ａ）は、時刻ｔ１においてレリーズスイッチは半押し状態が解除され、非押下状態に遷移した場合における警告の報知例について説明する図である。レリーズスイッチの半押し状態が解除されたことは、撮像の準備動作が中断されたことを意味するため、制御部１０１は第２の警告を報知しない。図６（ｂ）は、時刻ｔ１においてレリーズスイッチは半押し状態から全押し状態に遷移した場合における警告の報知例について説明する図である。レリーズスイッチが全押しされた場合、制御部１０１は撮像を開始するため、第２の警告を報知しない。これにより、ユーザは不要な第２の警告を受け取らないことができる。
【００５８】
なお、時刻ｔ０と時刻ｔ１の間の時間が所定の時間よりも短い場合、第２の警告音は出力されない。例えば、図６（ｃ）に示すようにユーザが一瞬レリーズスイッチを半押しした場合や図６（ｄ）に示すようにユーザがレリーズスイッチを非押下の状態から全押し（いわゆる一気押し）した場合、第２の警告音は出力されない。
【００５９】
ステップＳ２１３では、制御部１０１は電源がオフされたか否かを判定する。電源がオフされていない場合、ステップＳ２０１に戻り本処理を継続する。電源がオフされた場合、制御部１０１は処理を終了する。
【００６０】
以上、図２に基づいてデジタルカメラ１００の処理の一例を説明した。
【００６１】
なお、ステップＳ２０１またはステップＳ２０６において、報知中の警告に関する条件がレベル０であると判定された場合、制御部１０１はその報知中の警告の報知を停止する。例えば、手ブレに関する警告を報知中にステップＳ２０１において手ブレ量がレベル０になったと判定した場合、制御部１０１はその手ブレに関する報知を停止する。同様に、手ブレに関する警告を報知中にステップＳ２０６において手ブレ量がレベル０になったと判定した場合、制御部１０１はその手ブレに関する報知を停止する。
【００６２】
本実施形態では第１の警告および第２の警告において、同じ種類であればそれぞれ同じ閾値を設定したが、この閾値はそれぞれ異なるように設定してもよい。撮影の準備動作を実行している状態において、ユーザは待機状態よりも精度の高い操作を必要とする場合が考えられるからである。
【００６３】
本実施形態では第１の警告を報知する条件が満たされた場合に、第２の警告を報知する条件が満たされた場合に出力されるが、この条件以外にも別の条件を設定できる。例えば、１度出力した警告は１０秒間出力されない、前回判定したレベルよりレベルが上がった警告を出力する等の条件がある。このように１度出力した警告を所定時間出力しない条件や警告のレベルの遷移に応じて出力する条件等をデジタルカメラ１００は設定してよい。
【００６４】
デジタルカメラ１００はモードが遷移した場合、警告の報知を停止する。例えば電源ボタンが押された場合や、静止画撮影モードから再生モードに遷移した場合、デジタルカメラ１００は警告の報知を停止する。さらにデジタルカメラ１００は電源オンの状態であれば、それまでに判定した警告を報知する条件が満たされたか否か等の情報を破棄し、再度警告を報知するか否かを判定する。
【００６５】
ここで、本実施形態の撮像装置として例えばスマートフォンを採用した場合、撮像装置はレリーズスイッチを有さない場合がある。この場合における、レリーズスイッチの半押しおよび全押しは例えば図７に示すように置き換えることができる。ここで図７に示すスマートフォン７００はデジタルカメラ１００と同様の構成を有する。ただし、スマートフォン７００はレリーズスイッチを有さない。
【００６６】
ユーザはスマートフォン７００の表示部に映る被写体７０１をタッチすることで、スマートフォン７００は被写体に焦点を合わせる等の処理を実行する。つまり、ユーザがスマートフォン７００の画面に映る被写体をタッチしたことでスマートフォン７００は撮像の準備動作を開始したと考えることができる。すなわち、画面に映る被写体へのタッチ操作はレリーズスイッチの半押しに相当する。また、ユーザは被写体７０１を撮像する場合、スマートフォン７００の画面に表示されている撮像するためのアイテムをタッチする。このタッチ操作を受けてスマートフォン７００は被写体を撮像する。すなわち、画面に表示されている撮像するためのアイテムへのタッチ操作はレリーズスイッチの全押しに相当する。
【００６７】
本実施形態では、デジタルカメラ１００が静止画撮影モードの場合について説明したが、他のモードの場合にも本実施形態を適用できる。ただし、デジタルカメラ１００は他のモードにおいて、警告する対象となる第１の警告および第２の警告の種類を変更してよい。例えば、デジタルカメラ１００が再生モードの場合、ユーザは撮影に関する操作を行わないと考えられることから、デジタルカメラ１００は撮像に関する警告を報知しない。しかしデジタルカメラ１００が再生モードの状態でも、例えばユーザは電池容量に関する情報は気にすると考えられることから、デジタルカメラ１００は電池容量に関する警告はユーザに報知する。このように、デジタルカメラ１００はモードに応じてユーザに報知する警告の種類を変更できる。
【００６８】
以上、ユーザはレリーズスイッチを半押しすることで待機状態における警告音（第１の警告音）を消すことができる。また、レリーズスイッチを半押ししたことにより生じる撮像前の警告音（第２の警告音）を、ユーザは必要な警告のみ受け取ることができる。
【００６９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図１】
2020086306.tif 000003
【図２】
2020086306.tif 000004
【図３】
2020086306.tif 000005
【図４】
2020086306.tif 000006
【図５】
2020086306.tif 000007
【図６】
2020086306.tif 000008
【図７】
2020086306.tif 000009